(57)【要約】      （修正有）【課題】製作、移動、収納しやすく、景観的に美しい模造植物を用いた伸縮自在型工芸装飾籬を提供する。【解決手段】伸縮台４及び葉１を有する伸縮自在型工芸装飾籬であって、伸縮台４が、それぞれ複数の菱形格子を形成する第１側台５及び第２側台６と、第１側台５と第２側台６との前記菱形格子の交差部を連結する連結部材９とを備え、自在に伸縮可能な台であり、伸縮台４の第１側台５及び／又は第２側台６の外側の面に、葉１が１〜４枚毎に紐により巻き付けられている。伸縮台４の第１側台５及び／又は第２側台６の外側の面には、さらに、多枝藤２が、該多枝藤２の枝によって巻き付けられてもよい。【選択図】図１
0003171367.tif 000002
【実用新案登録請求の範囲】
【請求項１】
伸縮台（４）及び葉（１）を有する伸縮自在型工芸装飾籬であって、
前記伸縮台（４）が、それぞれ複数の菱形格子を形成する第１側台（５）及び第２側台（６）と、前記第１側台（５）と前記第２側台（６）との前記菱形格子の交差部を連結する連結部材（９）とを備え、自在に伸縮可能な台であり、
前記伸縮台（４）の前記第１側台（５）及び／又は前記第２側台（６）の外側の面に、前記葉（１）が１〜４枚毎に紐（３）により巻き付けられていることを特徴とする伸縮自在型工芸装飾籬。
【請求項２】
前記伸縮台（４）の前記第１側台（５）及び／又は前記第２側台（６）の外側の面に、さらに、多枝藤（２）が、前記多枝藤（２）の枝によって巻き付けられていることを特徴とする請求項１に記載の伸縮自在型工芸装飾籬。
【請求項３】
前記葉（１）の葉柄上には、孔（１６）が設けられ、
前記紐（３）が、前記葉（１）の葉柄上の孔（１６）を通って、前記葉（１）を巻き付けていることを特徴とする請求項２に記載の伸縮自在型工芸装飾籬。
【請求項４】
前記葉（１）が、抗紫外線のカラープラスチック材料で作製され、
前記葉（１）の前記葉柄が、プラスチック材料で作製され、
前記紐（３）が、プラスチック材料で作製され、
前記多枝藤（２）の枝が、プラスチック材料、あるいは、プラスチック材料が被覆したワイヤ又は針金により作製されていることを特徴とする請求項３に記載の伸縮自在型工芸装飾籬。
【請求項５】
前記伸縮台（４）の前記第１側台（５）及び前記第２側台（６）が、それぞれ、第１方向に並行に配置された複数の第１部材（７）と、前記第１部材（７）と斜めに交差するように第２方向に並行に配置された複数の第２部材（８）とを備えて、前記菱形格子を形成し、
前記連結部材（９）が、前記第１側台（５）の第１部材（７）及び第２部材（８）の交差部と前記第２側台（６）の第１部材（７）及び第２部材（８）の対応する交差部とを、前記第１部材（７）及び前記第２部材（８）が前記交差部に対して回転可能に連結するものであり、
前記紐（３）及び前記多枝藤（２）の枝が、前記第１側台（５）及び／又は前記第２側台（６）の外側の面において、それぞれの前記第１部材（７）又は前記第２部材（８）の方向に沿って、前記第１部材（７）及び前記第２部材（８）に巻き付けていることを特徴とする請求項２〜４のいずれか一項に記載の伸縮自在型工芸装飾籬。
【請求項６】
伸縮台（４）及び葉（１）を有する伸縮自在型工芸装飾籬であって、
前記伸縮台（４）が、第１方向に並行に配置された複数の第１部材（７）を有する第１側台（５）、前記第１側台（５）の前記第１部材（７）と斜めに交差するように第２方向に並行に配置された複数の第２部材（８）を有する第２側台（６）、及び、前記第１部材（７）と前記第２部材（８）との交差部を連結する連結部材（９）を備えて複数の菱形格子を形成し、自在に伸縮可能な台であり、
前記連結部材（９）が、前記第１部材（７）の交差部と前記第２部材（８）の対応する交差部とを、前記第１部材（７）及び前記第２部材（８）が前記交差部に対して回転可能に連結するものであり、
前記葉（１）が、１〜４枚毎に紐（３）により、前記第１側台（５）の外側の面に、前記第１部材（７）の方向に沿って前記第１部材（７）に巻き付けられ、及び／又は、前記第２側台（６）の外側の面に、前記第２部材（８）の方向に沿って前記第２部材（８）に巻き付けられていることを特徴とする伸縮自在型工芸装飾籬。
【請求項７】
さらに、前記多枝藤（２）が、前記多枝藤（２）の枝により、前記第１側台（５）の外側の面に、前記第１部材（７）の方向に沿って前記第１部材（７）に巻き付けられ、及び／又は、前記第２側台（６）の外側の面に、前記第２部材（８）の方向に沿って前記第２部材（８）に巻き付けられていることを特徴とする請求項６に記載の伸縮自在型工芸装飾籬。
【請求項８】
前記第１部材（７）及び前記第２部材（８）が、木、柳、藤、金属、プラスチックで形成されることを特徴とする請求項５〜７のいずれか一項に記載の伸縮自在型工芸装飾籬。
【請求項９】
前記伸縮台（４）の前記連結部材（９）が、
パイプ（１０）と、
前記第１側台（５）、前記パイプ（１０）、及び前記第２側台（６）を通る部材（１１）とを備え、
前記第１側台（５）、前記パイプ（１０）、及び前記第２側台（６）が、前記部材（１１）によって一体化されて前記伸縮台（４）を構成していることを特徴とする請求項５〜８のいずれか一項に記載の伸縮自在型工芸装飾籬。
【考案の詳細な説明】
【技術分野】
【０００１】
本考案は、模造植物を用いた装飾籬に関し、特に、園芸或いは庭園装飾及び日除けのための、環境保護型材料を利用して組み立てられた模造植物の、自在に伸縮する工芸装飾籬に関する。
【背景技術】
【０００２】
籬（フェンス）は、日常生活で園芸或いは庭園装飾及び特定区域の保護に使われる構築物であり、通気性がよく、光がよく漏れ、場所をあまりく占めない特徴があり、また田園装飾風でもあり、園芸分野或いは室外装飾の利用者に非常に歓迎されるものである。よく見かける装飾フェンスには、竹や、細長い木、金属、木の葉、布などで組み立てられている。このように作製された装飾フェンスは、腐食に弱く、燃えやすく、虫がつきやすくて、長く雨風に吹きさらされると非常に老化しやすく、寿命が短いという問題がある。また、従来の籬は、簡単にくくりつけられたものが多いため、ほとんど固定して使用され、移動しにくく、装飾用としては使いにくい。さらに、従来の籬は、一層しかなく、見た目は非常に構造が単純、色彩が単調で、立体感が無く、環境保護的でもないという欠点がある。
【０００３】
また、実用新案登録第３１５９００６に開示された工芸装飾籬は、固定された格子状の構造を有する。
【考案の概要】
【考案が解決しようとする課題】
【０００４】
本考案は、上述した従来の問題を解決するためになされたもので、装飾性が高く、移動に便利で、自在に伸縮し、色合い及び外観が本物の植物の籬に近く、はっきりとした立体感及び耐食性があり、老化退色しにくく、かつ環境保護に有利な、伸縮自在型工芸装飾籬を提供することを目的とする。
【課題を解決するための手段】
【０００５】
本考案に係る伸縮自在型工芸装飾籬は、伸縮台、環境保護タイプのプラスチック製の葉及び多枝藤で組み立てられた工芸籬である。なお、本明細書のプラスチックとは、抗紫外線国際等級測定基準を満たす、フェノール樹脂、塩化ビニールなどを含む可塑性高分子化合物から目的に応じて選ばれる任意の化合物のことをいう。
【０００６】
本考案に係る伸縮自在型工芸装飾籬（１）は、伸縮台（４）及び葉（１）を有する伸縮自在型工芸装飾籬であって、前記伸縮台（４）が、それぞれ複数の菱形格子を形成する第１側台（５）及び第２側台（６）と、前記第１側台（５）と前記第２側台（６）との前記菱形格子の交差部を連結する連結部材（９）とを備え、自在に伸縮可能な台であり、前記伸縮台（４）の前記第１側台（５）及び／又は前記第２側台（６）の外側の面に、前記葉（１）が１〜４枚毎に紐（３）により巻き付けられていることを特徴とする。
【０００７】
上記伸縮自在型工芸装飾籬（１）において、前記伸縮台（４）の前記第１側台（５）及び／又は前記第２側台（６）の外側の面に、さらに、多枝藤（２）が、前記多枝藤（２）の枝によって巻き付けられている。
【０００８】
上記伸縮自在型工芸装飾籬（１）において、前記葉（１）の葉柄上には、孔（１６）が設けられ、前記紐（３）が、前記葉（１）の葉柄上の孔（１６）を通って、前記葉（１）を巻き付けている。
【０００９】
上記伸縮自在型工芸装飾籬（１）において、前記葉（１）が、抗紫外線のカラープラスチック材料で作製され、  前記葉（１）の前記葉柄が、プラスチック材料で作製され、  前記紐（３）が、プラスチック材料で作製され、前記多枝藤（２）の枝が、プラスチック材料、あるいは、プラスチック材料が被覆したワイヤ又は針金により作製されている。
【００１０】
上記伸縮自在型工芸装飾籬（１）において、前記伸縮台（４）の前記第１側台（５）及び前記第２側台（６）が、それぞれ、第１方向に並行に配置された複数の第１部材（７）と、前記第１部材（７）と斜めに交差するように第２方向に並行に配置された複数の第２部材（８）とを備えて、前記菱形格子を形成し、前記連結部材（９）が、前記第１側台（５）の第１部材（７）及び第２部材（８）の交差部と前記第２側台（６）の第１部材（７）及び第２部材（８）の対応する交差部とを、前記第１部材（７）及び前記第２部材（８）が前記交差部に対して回転可能に連結するものであり、前記紐（３）及び前記多枝藤（２）の枝が、前記第１側台（５）及び／又は前記第２側台（６）の外側の面において、それぞれの前記第１部材（７）又は前記第２部材（８）の方向に沿って、前記第１部材（７）及び前記第２部材（８）に巻き付けている。
【００１１】
本考案に係る伸縮自在型工芸装飾籬（２）は、伸縮台（４）及び葉（１）を有する伸縮自在型工芸装飾籬であって、
前記伸縮台（４）が、第１方向に並行に配置された複数の第１部材（７）を有する第１側台（５）、前記第１側台（５）の前記第１部材（７）と斜めに交差するように第２方向に並行に配置された複数の第２部材（８）を有する第２側台（６）、及び、前記第１部材（７）と前記第２部材（８）との交差部を連結する連結部材（９）を備えて複数の菱形格子を形成し、自在に伸縮可能な台であり、
前記連結部材（９）が、前記第１部材（７）の交差部と前記第２部材（８）の対応する交差部とを、前記第１部材（７）及び前記第２部材（８）が前記交差部に対して回転可能に連結するものであり、
前記葉（１）が、１〜４枚毎に紐（３）により、前記第１側台（５）の外側の面に、前記第１部材（７）の方向に沿って前記第１部材（７）に巻き付けられ、及び／又は、前記第２側台（６）の外側の面に、前記第２部材（８）の方向に沿って前記第２部材（８）に巻き付けられていることを特徴とする。
【００１２】
上記伸縮自在型工芸装飾籬（２）において、さらに、前記多枝藤（２）が、前記多枝藤（２）の枝により、前記第１側台（５）の外側の面に、前記第１部材（７）の方向に沿って前記第１部材（７）に巻き付けられ、及び／又は、前記第２側台（６）の外側の面に、前記第２部材（８）の方向に沿って前記第２部材（８）に巻き付けられている。
【００１３】
上記伸縮自在型工芸装飾籬（１）又は（２）において、前記第１部材（７）及び前記第２部材（８）が、木、柳、藤、金属、プラスチックで形成される。
【００１４】
上記伸縮自在型工芸装飾籬（１）又は（２）において、前記伸縮台（４）の前記連結部材（９）が、パイプ（１０）と、前記パイプ（１０）、前記第１側台（５）、及び前記第２側台（６）を通る部材（１１）とを備え、前記第１側台（５）、前記パイプ（１０）、及び前記第２側台（６）が、前記部材（１１）によって一体化されて前記伸縮台（４）を構成している。
【考案の効果】
【００１５】
本考案に係る自在伸縮型工芸装飾籬によれば、製造と取り付けが簡単で、移動、収納がしやすく、かつ、色合いが本物の植物にそっくりで、はっきりした立体感があり、景観的に美しく、適用範囲が広いという効果がある。また、抗紫外線国際等級測定基準を満たしたプラスチックを材料に使用できるので、耐食性に優れ、老化退色しにくく、環境保護に有利であるという効果も得られる。
【図面の簡単な説明】
【００１６】
【図１】本考案の実施の形態１に係る伸縮自在型工芸装飾籬１００の概略側面図である。
【図２】本考案の実施の形態１に係る伸縮自在型工芸装飾籬１００の伸縮台を構成する一方の側台の概略正面図である。
【図３】本考案の実施の形態１に係る伸縮自在型工芸装飾籬１００の伸縮台の連結方法を説明する図である。
【図４】葉柄上に孔１６を有する葉１が葉柄によって繋がれた状態を示す図である。
【図５】多枝藤２の一例を示す図である。
【図６】本考案の実施の形態１による伸縮自在型工芸装飾籬１００の伸縮台を構成する一方の側台に模造植物が巻き付けられている状態を示す概略背面図である。
【図７】本考案の実施の形態２に係る伸縮自在型工芸装飾籬２００の伸縮台の連結方法を説明する図である。
【考案を実施するための形態】
【００１７】
以下、本考案に係る実施形態に係る伸縮自在型工芸装飾籬を、図面を参照しながら、詳細に説明する。
（実施の形態１）
図１は、本実施の形態１に係る伸縮自在型工芸装飾籬１００の側面概略図である。
【００１８】
図１に示されているように、本実施の形態１に係る伸縮自在型工芸装飾籬１００は、伸縮台４と模造植物であるカラープラスチック葉１及び多枝藤２とを備える。正面から見るとき、工芸装飾籬１００は、自然な生け垣のように見える。なお、本明細書において、葉は、複数枚の葉が組み合わされたもの（葉の束）も含む。
【００１９】
伸縮台４は、第１側台５、第２側台６、及び第１側台５と第２側台６とを連結する連結部材９を備える。伸縮台４の第１側台５及び第２側台６は、それぞれ図２に示されているように、第１方向に並行に配置された複数の細長い第１部材７、及び、第１部材７と斜めに交差するように並行に配置された第２方向の複数の細長い第２部材８を備える。すなわち、複数の第１部材７及び複数の第２部材８は、複数の菱形の格子を構成するように配向される。また、第１部材７及び第２部材８は、細長い木（木条）、細長い柳（柳条、ヤナギの枝）、細長い藤（藤条、藤や蔦のつる）、金属、又はプラスチック（たとえば、環境に優しいＰＥ材料）で製作する。
【００２０】
連結部材９は、中空のパイプ１０と釘、ワイヤ、又はネジ１１等とによって構成してもよい。
【００２１】
図１及び図２に示されているように、伸縮台４は、第１側台５及び第２側台６のそれぞれの第１部材７と第２部材８とが互いに交差する各共通の交差部において、連結部材９を介して第１側台５及び第２側台６を一体化させて構成される。このため、伸縮台４は、格子が菱形に変形し、自在に伸縮できる台になる。
【００２２】
図３は、一実施例における伸縮台の連結方法、あるいは伸縮台を一体化させる方法を説明する図である。図３では、第１側台５の部材７と部材８とが互いに交差する交差部にパイプ１０を当て、パイプ１０及び第１側台５の部材７、部材８にワイヤ１１の一端を通し、ワイヤ１１のもう一端を第２側台６の部材７及び部材８の対応する交差部に通す。第１側台５及び第２側台６を通したワイヤ１１の両端をそれぞれ、第１側台５又は第２側台６の外側の面に沿って、直角に曲げて、一体化した伸縮台４がくずれないようにする。なお、伸縮台を一体化させる連結方法は、伸縮台が自在に伸縮するのを妨げないようなその他の任意の方法であってもよい。さらに、各共通の交差部における連結に代えて、伸縮台４が一体化してくずれないように、一部の交差点においてのみ連結を行ってもよい。
【００２３】
図４は、葉、葉柄、葉の束及び葉柄上の孔の一例を示す図である。模造植物の葉１は、図４に示されているように、草の葉、木の葉、あるいは花の形であり、色は、緑色、青色、黄色、白色、紅色、紅黄混色、あるいは茶黄混色でもよい。葉１は、葉柄を有し、１〜４枚の葉１により葉の束を構成する。図４の葉の束では、２枚の葉のそれぞれの葉柄が互いに接続する部位に、孔１６が設けられている。なお、葉柄は、環境にやさしいプラスチック材料、例えば、ＰＶＣ材料で製作し、葉１はＵＶ防止効果のある素材、例えば、抗紫外線のポリエステル系繊維生地で製作する。
【００２４】
模造植物の多枝藤２は、図５に示されているように、複数の枝に分かれていてもよい。図５の例では、多枝藤２は、１つの枝１２から３つの小枝１３に分かれ、各小枝１３には葉１５が設けられている。多枝藤２は、曲がり得る枝１２、枝１２から分かれる複数の曲がり得る小枝１３、及び小枝１３に付けている葉１５からなり、樹枝状を成す。すなわち、多枝藤２は、１つの枝、または複数の枝分かれを有するものである。枝１２及び小枝１３は、ＰＶＣ材料のようなプラスチックの材料で、あるいは細いワイヤや針金等を、ＰＶＣ材料のようなプラスチックの材料で被覆して製作してもよい。枝１２及び小枝１３の色は緑色、青色、又は茶色であってもよい。葉１５の色は緑色、青色、黄色、紅色、白色、紅黄混色、又は茶黄混色であってもよい。葉１５は、葉１と同様な材料で製作されていても良い。なお、ここでは枝と小枝を区別して記載していますが、本明細書において、枝は、枝及び小枝の両方を含むものも意味する。
【００２５】
図６は、伸縮自在型工芸装飾籬１００の一方の側台に模造植物が巻き付けられた状態を示す図である。
【００２６】
図６に示されているように、側台５（又は側台６）には、カラープラスチック葉１が細いプラスチック紐３によって巻き付けられ、多枝藤２がその枝（又は枝及び小枝）によって巻き付けられている。具体的には、側台の第１方向の第１部材７に沿って、複数の葉１は、その葉柄上の孔１６を通したプラスチック紐３によって側台の第１部材７及び第２部材８に巻き付けられている。同じく側台の第１方向の第１部材７に沿って、側台の複数の箇所に、多枝藤２は、その枝１２又は枝１２及び小枝１３によって側台に巻き付けられている。言うまでもなく、台の第２方向の第２部材８に沿って、葉１及び多枝藤２は、台の第１部材７及び第２部材８に巻き付けられてもよい。なお、伸縮自在型工芸装飾籬の伸縮の妨げとならなれければ、その他の巻き付け方でもよい。
【００２７】
なお、図１に示されている実施の形態に係る伸縮自在型工芸装飾籬１００では、第１側台５及び第２側台６のそれぞれに葉１及び多枝藤２が巻き付けられているが、第１側台５及び第２側台６のいずれか一方の側台のみに模造植物が巻き付けられてもよい。また、葉１のみが巻き付けられてもよい。
【００２８】
なお、好ましくは、上述したカラープラスチックの葉１、プラスチックの紐３、多枝藤２はすべて国際ＵＶ防止レベル測定基準を満たしている。
【００２９】
上記の実施の形態１では、図６に示されているように、側台の一面全体に葉１を巻き付けることとしたが、必要に応じて、所定のパターンを成すように一面のところどころに葉１等を巻き付けることもできる。
【００３０】
（実施の形態２）
さらに、本実施の形態２に係る伸縮自在型工芸装飾籬２００は、工芸装飾籬１００と同様に、伸縮台４が第１側台２５及び第２側台２６を有する。ただし、第１側台２５は、第１方向の複数の細長い第１部材７のみを有し、第２側台２６は、第１側台２５の第１部材７と斜めに交差するように配向された第２方向の複数の細長い第２部材８のみを有する。第１側台２５の第１部材７と第２側台２６の第２部材８とが、菱形の格子を構成するように配向される。なお、第１側台２５及び第２側台２６の連結方法は、図７に示されているように、工芸装飾籬１００の場合に類似する。この場合、図６に示されているのは、一面のみ模造植物が巻き付けられた、伸縮自在型工芸装飾籬２００の概略背面図に相当する。
【００３１】
なお、本実施の形態２に係る伸縮自在型工芸装飾籬２００では、第１側台２５の第１部材７と第２側台２６の第２部材８との対応する交差部は、それぞれ連結部材９によって連結されるのが好ましい。また、一体化された伸縮台がくずれない程度に所定の交差部の連結を省いても良い。
【００３２】
また、本実施の形態２における模造植物の巻き付け方法については、例えば、第１側台２５の第１部材７に沿って側台の下の端から上の端まで紐３が葉１を第１部材７に巻き付け、及び／又は、第２側台２６の第２部材８に沿って側台の下の端から上の端まで紐３が葉１を第２部材８に巻き付ける。もちろん、伸縮台の伸縮を妨げないその他の巻き付け方法でもよい。
【００３３】
このように、本発明の実施の形態１及び２に係る伸縮自在型工芸装飾籬は、製造と取り付けが簡単で、移動、収納がしやすいという利点がある。また、籬の色合いが本物の植物にそっくり、はっきりした立体感で、景観的に美しく、適用範囲が広いという利点がある。さらに、必要に応じて、抗紫外線国際等級測定基準を満たした材料により作製できるため、耐食性に優れて老化劣化しにくく、寿命が長いために、環境保護に有利であると同時に、紫外線輻射も少ないため、人体にも優しいという効果がある。
【００３４】
以上では、具体的な実施例をもって本考案を説明したが、本考案は、それらに限定されるものではない。当業者なばら、添付の本考案登録請求の範囲内で、上述の実施例に対して置換、変更、或いは追加を行って本考案を実現できることは容易に理解できるであろう。それらの置換、変更、あるいは追加も、本実用新案登録請求の範囲内に属する。
【符号の説明】
【００３５】
１  葉
２  多枝藤
３  プラスチック紐
４  伸縮台
５、２５  第１側台
６、２６  第２側台
７  第１方向の第１部材
８  第２方向の第２部材
９  連結部材
１０  パイプ
１１  パイプ及び第１側台、第２側台を通して一体化させるネジ、ワイヤ等
１２  枝
１３  小枝
１５  多枝藤の葉
１６  葉柄上の孔
１００、２００  伸縮自在型工芸装飾籬
【図２】
0003171367.tif 000003
【図３】
0003171367.tif 000004
【図４】
0003171367.tif 000005
【図５】
0003171367.tif 000006
【図６】
0003171367.tif 000007
【図７】
0003171367.tif 000008
【図１】
0003171367.tif 000009